(57)【要約】【課題】たるんだ頬を引き上げた状態に維持する器具を提供すること。【解決手段】一対のつるを有するメガネに用いられ、たるんだ頬を引き上げた状態に維持する器具は、各つるに着脱可能に取り付けられる本体と、該本体に固定されかつ支持されるクリップであって前記メガネの使用時に前記頬を引き上げた状態に維持するように髪に固定されるクリップとを含む。前記本体は、前記つるに固定される第１部分と、該第１部分の上方に位置する第２部分とからなり、該第２部分は、垂直な板ばねからなるものとすることができる。【選択図】図１
2009291453.tif 000002
【特許請求の範囲】
【請求項１】
一対のつるを有するメガネに用いられ、たるんだ頬を引き上げた状態に維持する器具であって、
各つるに着脱可能に取り付けられる本体と、該本体に固定されかつ支持されるクリップであって前記メガネの使用時に前記頬を引き上げた状態に維持するように髪に固定されるクリップとを含む、器具。
【請求項２】
前記本体は、前記つるに固定される第１部分と、該第１部分の上方に位置する第２部分とからなる、請求項１に記載の器具。
【請求項３】
前記第１部分は、下方に開放されたコ字形の断面形状を有し、前記つるを受け入れる、請求項２に記載の器具。
【請求項４】
前記第１部分は、管状であり、前記つるを受け入れる、請求項２に記載の器具。
【請求項５】
前記第２部分は垂直な板ばねからなる、請求項２に記載の器具。
【請求項６】
たるんだ頬を引き上げた状態に維持するメガネであって、
一対のつると、各つるに取り付けられた本体と、該本体に固定されかつ支持されるクリップであって前記メガネの使用時に前記頬を引き上げた状態に維持するように髪に固定されるクリップとを含む、メガネ。
【請求項７】
たるんだ頬を引き上げた状態に維持するメガネであって、
一対のつると、各つるに形成された本体と、該本体に固定されかつ支持されるクリップであって前記メガネの使用時に前記頬を引き上げた状態に維持するように髪に固定されるクリップとを含む、メガネ。
【発明の詳細な説明】
【技術分野】
【０００１】
本発明は、たるんだ頬を引き上げた状態に維持する器具に関する。
【背景技術】
【０００２】
人は、老化とともに、顔の皮膚に張りがなくなり、該皮膚がたるむ。多くの女性は、自分をより若く見せるため、前記皮膚がたるむのを防ぎたいという願望を持っている。従来、目尻がたるむのを防ぐたるみ防止具として、各端部に粘着テープが取り付けられた帯状体からなるものがある（特許文献１参照）。
【特許文献１】特開平９−１６８４２４号公報
【０００３】
前記たるみ防止具を使用するとき、まず、前記帯状体を後頭部に配置する。次に、左右の目尻のそれぞれをその後方へ引っ張るように、前記帯状体の一端部を一方の目尻に貼り付け、他端部を他方の目尻に貼り付ける。前記帯状体は、各目尻を引っ張った状態に維持し、該目尻がたるむのを防止する。
【発明の開示】
【発明が解決しようとする課題】
【０００４】
しかし、前記たるみ防止具は、目尻がたるむのを防止することはできるが、頬がたるむのを防止することができない。人は、頬がたるむと、より老けて見えることがある。
【０００５】
本発明の目的は、たるんだ頬を引き上げた状態に維持する器具を提供することである。
【課題を解決するための手段】
【０００６】
本発明は、一対のつるを有するメガネに用いられ、たるんだ頬を引き上げた状態に維持する器具を提供する。前記器具は、各つるに取り付けられる本体と、該本体に固定されかつ支持されるクリップとを含み、該クリップが、前記メガネの使用時に前記頬を引き上げた状態に維持するように髪に固定される。これにより、前記本体が前記つるから反力を受けて前記クリップを支持することによって、前記頬を引き上げた状態に維持する。
【０００７】
本発明に係る、一対のつるを有するメガネに用いられ、たるんだ頬を引き上げた状態に維持する器具は、各つるに着脱可能に取り付けられる本体と、該本体に固定されかつ支持されるクリップであって前記メガネの使用時に前記頬を引き上げた状態に維持するように髪に固定されるクリップとを含む。
【０００８】
前記器具を使用するとき、まず、前記本体を各つるに取り付け、前記メガネをかける。その後、前記クリップを、前記頬を引き上げた状態に維持するように髪に固定する。このとき、前記本体は、前記つるから反力を受けて、前記髪に固定された前記クリップを支持する。これにより、前記頬を引き上げた状態に維持することができる。
【０００９】
前記本体は、前記つるに固定される第１部分と、該第１部分の上方に位置する第２部分とからなる。前記第１部分は、下方に開放されたコ字形の断面形状を有し、前記つるを受け入れるものとすることができる。また、前記第１部分は、管状であり、前記つるを受け入れるものとすることができる。前記第２部分は、垂直な板ばねからなるものとすることができる。
【００１０】
前記第２部分が板ばねからなるものではない場合、前記本体を各つるに取り付け、前記メガネをかけた後、前記頬を引き上げるように前記髪を引っ張り、その後、前記クリップを前記髪に固定する。これに対して、前記第２部分が前記板ばねからなる場合、前記本体を各つるに取り付け、前記メガネをかけた後、前記板ばねに下向き力を加えて該板ばねを弾性変形させ、その後、前記クリップを前記髪に固定し、前記下向き力を取り除く。これにより、前記板ばねを復元させて前記頬に上向き力を加え、該頬を引き上げる。前記頬に前記上向き力を加えるため、前記頬を引き上げた状態により確実に維持することができる。
【００１１】
本発明に係る、たるんだ頬を引き上げた状態に維持するメガネは、一対のつると、各つるに取り付けられた本体と、該本体に固定されかつ支持されるクリップであって前記メガネの使用時に前記頬を引き上げた状態に維持するように髪に固定されるクリップとを含む。
【００１２】
本発明に係る、たるんだ頬を引き上げた状態に維持するメガネは、一対のつると、各つるに形成された本体と、該本体に固定されかつ支持されるクリップであって前記メガネの使用時に前記頬を引き上げた状態に維持するように髪に固定されるクリップとを含む。
【発明の効果】
【００１３】
本発明によれば、一対のつるを有するメガネに用いられ、たるんだ頬を引き上げた状態に維持する器具が、各つるに取り付けられる本体と、該本体に固定されかつ支持されるクリップとを含み、該クリップが、前記メガネの使用時に前記頬を引き上げた状態に維持するように髪に固定される。このため、前記本体が前記つるから反力を受けて前記クリップを支持することにより、前記頬を引き上げた状態に維持することができる。
【発明を実施するための最良の形態】
【００１４】
図１、２に示すように、たるんだ頬１０を引き上げた状態に維持する器具１２が、一対のつる１４を有するメガネ１６に用いられている。
【００１５】
器具１２は、各つる１４に着脱可能に取り付けられる本体１８と、該本体の上端部２０に固定されたクリップ２２とを含む。クリップ２２は、本体１８に支持され、メガネ１６の使用時に頬１０を引き上げた状態に維持するように髪２４に固定される。
【００１６】
本体１８は、つる１４に固定される第１部分２６と、該第１部分の上方に位置する第２部分２８とからなる。図３に示すように、第１部分２６は、管状であり、つる１４を受け入れる。第１部分２６は、例えば、ビニール、ゴム等のような柔軟な材料で作られている。
【００１７】
第２部分２８は、垂直な板状であり、金属又はプラスチックからなる。前記金属は、普通鋼、ステンレス鋼、アルミニウム等とすることができる。前記プラスチックは、アクリル樹脂、塩化ビニル樹脂、ポリカーボネート等とすることができる。第２部分２８は、金属又はプラスチックからなる上記の例に代え、ゴムからなるものでもよい。第２部分２８は、板状である図３に示した例に代え、上下方向に伸びる棒状でもよい。第２部分２８の高さ寸法は約１ｃｍないし約３ｃｍである。
【００１８】
クリップ２２は、上下方向に間隔を置かれた、互いに平行な２つのフレーム部分３０ａ、３０ｂを有するほぼ四角形のフレーム３２と、下方のフレーム部分３０ａに間隔を置いて設けられ、それぞれが下方のフレーム部分３０ａから上方へ伸びる複数の櫛歯３４とを有する。下方のフレーム部分３０ａは前記四角形に垂直な方向におけるフレーム３２の一方の側に突な円弧状を呈するように弾性変形しており、各櫛歯３４はフレーム３２の他方の側において上方のフレーム部分３０ｂに接触している。
【００１９】
下方のフレーム部分３０ａの中央部に前記他方の側に向けての力を加えることにより、下方のフレーム部分３０ａは前記他方の側に突な円弧状を呈するように弾性変形し、櫛歯３４は上方のフレーム部分３０ｂから離れる。その後、下方のフレーム部分３０ａの中央部に前記一方の側に向けての力を加えることにより、下方のフレーム部分３０ａは前記一方の側に突な円弧状を呈するように弾性変形し、櫛歯３４は上方のフレーム部分３０ｂに接触する。櫛歯３４が上方のフレーム部分３０ｂから離れた状態で櫛歯３４を髪２４に入れ、その後、櫛歯３４を上方のフレーム部分３０ｂに接触させることにより、髪２４が櫛歯３４と上方のフレーム部分３０ｂとの間に挟まれ、クリップ２２が髪２４に固定される。クリップ２２は、例えば、特許文献２に記載されているかつら用クリップからなるものとすることができる。クリップ２２は、頬１０を引き上げた状態に維持するように髪２４に固定されるものであればよく、他の構造を有するものでもよい。
【特許文献２】特開２００１−３２９４２２号公報
【００２０】
器具１２を使用するとき、まず、本体１８を各つる１４に取り付ける。このとき、第１部分２６につる１４を挿入する。第１部分２６が柔軟な材料で作られていることにより、第１部分２６につる１４を挿入するときに第１部分２６がつる１４の形状に応じて変形し、つる１４を容易に挿入することができる。
【００２１】
本体１８を各つる１４に取り付けた後、メガネ１６をかける。その後、クリップ２２を、頬１０を引き上げた状態に維持するように髪２４に固定する。このとき、頬１０を引き上げるように髪２４を引っ張り、その後、該髪にクリップ２２を固定する（図４に、頬１０を引き上げる前の状態を示し、図５に、頬１０を引き上げた後の状態を示す。）。このとき、本体１８はつる１４から反力を受けてクリップ２２を支持する。このため、頬１０を引き上げた状態に維持することができ、人は、自分をより若く見せることができる。
【００２２】
髪が比較的長い場合、図６に示すように、器具１２をその使用時に髪で隠すことができ、該器具が目立たないようにすることができる。このため、器具１２は、外出するとき、他人と会うときなどにおける使用にも適する。
【００２３】
図７、８に示す例では、第１部分２６は、管状である図３に示した例に代え、下方に開放されたコ字形の断面形状を有する。この場合、本体１８を各つる１４に取り付けるとき、第１部分２６をつる１４の上方から該つるに嵌め込む。これにより、第１部分２６につる１４が受け入れられる。
【００２４】
第１部分２６は、図７、８に示した例では、金属又はプラスチックからなる。前記金属は、普通鋼、ステンレス鋼、アルミニウム等とすることができる。前記プラスチックは、アクリル樹脂、塩化ビニル樹脂、ポリカーボネート等とすることができる。第１部分２６は、金属又はプラスチックからなる上記の例に代え、ゴムからなるものでもよい。
【００２５】
第２部分２８が垂直な板状である場合、該第２部分は、板ばねからなるものとすることができる。この場合、本体１８を各つる１４に取り付け、メガネ１６をかけた後、図９に示すように、前記板ばねに下向き力を加えて該板ばねを弾性変形により湾曲させ、その後、クリップ２２を髪２４に固定し、前記下向き力を取り除く。これにより、前記板ばねを復元させて頬１０に上向き力を加え、該頬を引き上げる。頬１０に前記上向き力を加えるため、頬１０を引き上げた状態に確実に維持することができる。第２部分２８は、前記板ばねからなる図９に示した例に代え、コイルばねからなるものでもよい。
【００２６】
本体１８が各つる１４に着脱可能に取り付けられる上記の例に代え、本体１８が各つる１４に取外し不可能に取り付けられていてもよい。これに代え、図１０に示すように、本体１８が各つる１４に一体に形成されていてもよい。
【図面の簡単な説明】
【００２７】
【図１】本発明の第１実施例に係る器具の概略図。
【図２】本発明の第１実施例に係る器具の正面図。
【図３】図２の線３における器具の側面図。
【図４】頬を引き上げる前の状態を示す図。
【図５】頬を引き上げた後の状態を示す図。
【図６】本発明の第１実施例に係る器具の使用時における顔の側面図。
【図７】本発明の第２実施例に係る器具の正面図。
【図８】図７の線８における器具の側面図。
【図９】本発明の第３実施例に係る器具の側面図。
【図１０】本体がつるに形成されていることを示す図。
【符号の説明】
【００２８】
１０    頬
１２    器具
１４    つる
１６    メガネ
１８    本体
２２    クリップ
２６    第１部分
２８    第２部分
【図１】
2009291453.tif 000003
【図２】
2009291453.tif 000004
【図３】
2009291453.tif 000005
【図４】
2009291453.tif 000006
【図５】
2009291453.tif 000007
【図６】
2009291453.tif 000008
【図７】
2009291453.tif 000009
【図８】
2009291453.tif 000010
【図９】
2009291453.tif 000011
【図１０】
2009291453.tif 000012